(57)【特許請求の範囲】
【請求項１】
洗浄槽と、この洗浄槽内に配置され、軽い食器類をセットする特定部位を有する食器かごと、前記洗浄槽内に回転自在に配設し洗浄水を噴射する洗浄ノズルと、この洗浄ノズルに洗浄水を供給しその供給圧によって前記洗浄ノズルを回転させる洗浄ポンプとを備え、前記洗浄ポンプから前記洗浄ノズルへの洗浄水供給経路の途中に、洗浄水を分岐する分岐部を少なくとも１つ設け、前記洗浄ノズルは、複数のノズル噴射口を設けたノズル本体と、このノズル本体と一体的に回転する軸部とを備えるとともに、前記軸部の前記食器かごの軽い食器類をセットする特定部位に対応する回転位置にて前記分岐部と連通する位置に連通部を形成し、前記軸部の回転によって回転に同調させて前記ノズル噴射口から軽い食器類に向けて噴射される洗浄水の圧力を、前記連通部が前記分岐部と連通していない回転位置における圧力より低くする構成とした食器洗い機。
【請求項２】
連通部は、少なくとも１つの孔または切り欠きよりなる請求項１記載の食器洗い機。
【請求項３】
洗浄槽と、この洗浄槽内に回転自在に配設し洗浄水を噴射する洗浄ノズルと、この洗浄ノズルに洗浄水を供給しその供給圧によって前記洗浄ノズルを回転させる洗浄ポンプとを備え、前記洗浄ポンプから前記洗浄ノズルへの洗浄水供給経路の途中に、洗浄水を分岐する分岐部を少なくとも１つ設け、前記洗浄ノズルは、複数のノズル噴射口を設けたノズル本体と、このノズル本体と一体的に回転する軸部とを備えるとともに、前記軸部に特定の回転位置にて前記分岐部と連通する連通部を形成し、さらに、前記分岐部を前記洗浄槽内の側面または天面に設けた固定ノズルに接続して、分岐部に流入した洗浄水を洗浄槽内に散水するように構成した食器洗い機。
【請求項４】
分岐部に流入した洗浄水の分岐案内経路途中に微細な残菜を収集できるフィルタを設けた請求項３記載の食器洗い機。
【発明の詳細な説明】
【０００１】
【発明の属する技術分野】
本発明は、洗浄水の噴射により食器等の洗浄を行う食器洗い機に関する。
【０００２】
【従来の技術】
従来、この種の食器洗い機は図７に示すように構成していた。以下、その構成について説明する。
【０００３】
図に示すように、洗浄槽１は、食器かご２と、この食器かご２の下方に配設した洗浄ノズル３に洗浄水を給送する洗浄ポンプ４を設けている。洗浄槽１の下部に残菜（食器等に付着した汚染物を残菜と呼ぶ）を捕集するフィルタ５を設けている。
【０００４】
このように構成した食器洗い機では、洗剤を洗浄槽１内に投入し、洗浄槽１底部の洗浄水を洗浄ポンプ４によりフィルタ５を介して洗浄ノズル３から噴射させることで、食器の残菜が洗い落とされる。この残菜を含む洗浄水はフィルタ５で濾過されて洗浄ポンプ４へと循環し、再び洗浄ノズル３から噴射されることを繰り返される。
【０００５】
【発明が解決しようとする課題】
一般に、洗浄するための食器の汚れにはいろいろな種類があり、当然、それを洗浄するのに必要なエネルギもいろいろある。例えば、ご飯の汚れは、のり状になり、食器との結合が強く、強い汚れの種類に含まれる。この汚れを洗浄するためには、かなり多くのエネルギが必要となる。逆に飲料水を飲んだだけのコップでは、少しの洗浄水がかかれば、その汚れは洗浄できるので、当然ご飯を洗浄するのに必要なエネルギを必要としない。
【０００６】
ところが、従来の構成では、食器かご２のすべての範囲を均一に洗浄することを主眼としているため、洗浄ノズル３は、洗浄ポンプ４から十分な洗浄水を供給されており、洗浄ノズル３の内圧は一定であった。すなわち、本来、食器の汚れによって、必要かつ十分な洗浄のためのエネルギの設定が異なるにも関わらず、それらのすべてを洗浄するために、通常食器洗い機にて洗浄する一般的な汚れの中で最も強い食器の汚れを想定し、その洗浄ができるエネルギに設定していた。
【０００７】
したがって、洗浄ノズル３から噴射する洗浄水の噴射力を強く設定する必要があったり、洗浄行程の時間設定を長くする必要があった。噴射力を強くするには、洗浄ポンプ４を大型にする必要がある。また、洗浄行程の時間を長くすることは、食器洗い機の全体の運転時間が長くなり、ユーザに対してデメリットになるとともにエネルギ的にも当然不利になるという問題を有していた。
【０００８】
また、従来の構成では、前述したように強い汚れに対応する必要があるために、洗浄ノズル３から噴射する洗浄水の噴射圧力をさらに強くすれば、樹脂食器等の軽い食器類は、その洗浄水の噴射力で飛び出し、食器かご２から脱落してしまう。この場合、洗浄ノズル３に引っかかり、洗浄ノズル３の回転が妨げられ洗浄できなくなるという問題を有していた。
【０００９】
本発明は上記課題を解決するもので、食器かごのセット位置により洗浄水の圧力が強い所と弱い所とに分け、供給圧の大きい洗浄ポンプを使用し、洗浄力を確保しつつ、樹脂食器等の軽い食器類を食器かごより脱落させずに洗浄し、洗浄時間を短縮することを目的としている。また、分岐部で分岐させた洗浄水を回転自在に配設した洗浄ノズルでは十分に洗浄できない個所に有効に使用することで、洗浄力を向上させ、洗浄時間を短縮することを目的としている。
【００１０】
【課題を解決するための手段】
本発明は上記目的を達成するために、洗浄槽内に洗浄ノズルを回転自在に配設し、この洗浄ノズルに洗浄ポンプより洗浄水を供給して洗浄水を噴射するとともに、その供給圧によって洗浄ノズルを回転させ、洗浄ポンプから洗浄ノズルへの洗浄水供給経路の途中に、洗浄水を分岐する分岐部を少なくとも１つ設け、洗浄ノズルは、複数のノズル噴射口を設けたノズル本体と、このノズル本体と一体的に回転する軸部とを備えるとともに、軸部の食器かごの軽い食器類をセットする特定部位に対応する回転位置にて分岐部と連通する位置に連通部を形成し、軸部の回転によって回転に同調させてノズル噴射口から軽い食器類に向けて噴射される洗浄水の圧力を、連通部が分岐部と連通していない回転位置における圧力より低くするように構成したものである。
【００１１】
これにより、食器かごのセット位置により洗浄水の圧力が強い所と弱い所とに分けることができ、供給圧の大きい洗浄ポンプを使用し、洗浄力を確保しつつ、樹脂食器等の軽い食器類を食器かごより脱落させずに洗浄することができ、洗浄時間を短縮することができる。
【００１２】
また、分岐部を洗浄槽内の側面または天面に設けた固定ノズルに接続して、分岐部に流入した洗浄水を洗浄槽内に散水するように構成したものである。
【００１３】
これにより、分岐部で分岐させた洗浄水を回転自在に配設した洗浄ノズルでは十分に洗浄できない個所に有効に使用することで、洗浄力を向上させ、洗浄時間を短縮することができる。
【００１４】
【発明の実施の形態】
本発明の請求項１に記載の発明は、洗浄槽と、この洗浄槽内に配置され、軽い食器類をセットする特定部位を有する食器かごと、前記洗浄槽内に回転自在に配設し洗浄水を噴射する洗浄ノズルと、この洗浄ノズルに洗浄水を供給しその供給圧によって前記洗浄ノズルを回転させる洗浄ポンプとを備え、前記洗浄ポンプから前記洗浄ノズルへの洗浄水供給経路の途中に、洗浄水を分岐する分岐部を少なくとも１つ設け、前記洗浄ノズルは、複数のノズル噴射口を設けたノズル本体と、このノズル本体と一体的に回転する軸部とを備えるとともに、前記軸部の前記食器かごの軽い食器類をセットする特定部位に対応する回転位置にて前記分岐部と連通する位置に連通部を形成し、前記軸部の回転によって回転に同調させて前記ノズル噴射口から軽い食器類に向けて噴射される洗浄水の圧力を、前記連通部が前記分岐部と連通していない回転位置における圧力より低くする構成としたものであり、食器かごのセット位置により洗浄水の圧力が強い所と弱い所とに分けることができ、さらに、特定の位置にセットした食器と、その特定の食器を洗浄するための洗浄ノズルの位置を同調させることができるので、供給圧の大きい洗浄ポンプを使用し、洗浄力を確保しつつ、樹脂食器等の軽い食器類を食器かごより脱落させずに洗浄することができ、洗浄時間を短縮することができる。
【００１５】
請求項２に記載の発明は、上記請求項１に記載の発明において、連通部は、少なくとも１つの孔または切り欠きよりなるものであり、特定の食器のみ洗浄水の供給圧を変化させることができる。
【００１６】
請求項３に記載の発明は、洗浄槽と、この洗浄槽内に回転自在に配設し洗浄水を噴射する洗浄ノズルと、この洗浄ノズルに洗浄水を供給しその供給圧によって前記洗浄ノズルを回転させる洗浄ポンプとを備え、前記洗浄ポンプから前記洗浄ノズルへの洗浄水供給経路の途中に、洗浄水を分岐する分岐部を少なくとも１つ設け、前記洗浄ノズルは、複数のノズル噴射口を設けたノズル本体と、このノズル本体と一体的に回転する軸部とを備えるとともに、前記軸部に特定の回転位置にて前記分岐部と連通する連通部を形成し、さらに、前記分岐部を前記洗浄槽内の側面または天面に設けた固定ノズルに接続して、分岐部に流入した洗浄水を洗浄槽内に散水するように構成したものであり、分岐部で分岐させた洗浄水を回転自在に配設した洗浄ノズルでは十分に洗浄できない個所に有効に使用することができ、洗浄力を向上することができる。
【００１７】
請求項４に記載の発明は、上記請求項３に記載の発明において、分岐部に流入した洗浄水の分岐案内経路途中に微細な残菜を収集できるフィルタを設けたものであり、きれいな洗浄水を散水することができ、より洗浄力を向上することができる。
【００１８】
【実施例】
以下、本発明の実施例について、図面を参照しながら説明する。
【００１９】
（実施例１）
図１に示すように、洗浄槽６は、内部に食器かご７を配置するとともに、洗浄ノズル８を回転自在に配設している。洗浄ポンプ９は、洗浄ノズル８に洗浄水を給送し、その供給圧によって洗浄ノズル８を回転させるもので、洗浄槽６より残菜を捕集するフィルタ１０を介して洗浄水を吸入し、分岐管（洗浄水供給経路）１１、ノズル軸受け１２を介して、洗浄ノズル８に連通させている。分岐管１１には洗浄水を分岐するバイパス経路（分岐部）１３を設けており、その先は洗浄槽６の側面に設けた固定噴射口１４に接続している。
【００２０】
洗浄ノズル８は、図２に示すように、ノズル噴射口１５を複数個有し下部に爪１６を設けたノズル本体１７と、ノズル軸受け１２とのシール部１８を有しノズル本体１７と一体的に回転する軸部１９とで構成し、この軸部１９の下方には、孔２０を設けている。
【００２１】
洗浄槽６の底部に設けた穴に、図３に示すように、ノズル軸受け１２を取付け、これに分岐管１１に設けた溝にＯリング２１を挿入し、ねじ嵌合させてシールしている。また、洗浄ノズル８は軸部１９をノズル軸受け１２に挿入し、この軸部１９下方に設けた孔２０の高さ位置を、分岐管１１に設けたバイパス経路１３と同じになるよう構成している。
【００２２】
上記の構成において作用を説明すると、洗浄ポンプ９により給送された洗浄水は、分岐管１１とノズル軸受け１２を介して洗浄ノズル８に供給されて、ノズル噴射口１５からの噴射されると同時に、洗浄ノズル８に設けたノズル噴射口１５からの噴射反力により洗浄ノズル８を回転させ、ノズル軸受け１２に設けたシール部１８でシールされる。
【００２３】
洗浄ノズル８は、その回転途中に軸部１９の下方に設けた孔２０が分岐管１１に設けたバイパス経路１３と重なったとき、洗浄水は、バイパス経路１３を経て、固定噴射口１４より洗浄槽６内に噴射される。このため、バイパス経路１３に分岐流入する洗浄水量を洗浄ノズル８の回転によって断続的に変化させることができる。このとき、ノズル噴射口１５より噴射される洗浄水の圧力は、バイパス経路１３を連通していないときより低くすることができるため、食器かご２のセット位置により洗浄水の圧力が強い所と弱い所に分けることができる。
【００２４】
これにより、特定の位置にセットした食器と、その特定の食器を洗浄するためのノズル噴射口１５の位置を同調させ、特定の食器のみ洗浄水の供給圧を変化させることができる。例えば、従来より供給圧の大きい洗浄ポンプを使用することで、洗浄水の圧力を強力にし、洗浄力を向上する一方で、樹脂食器等の軽い食器類を食器かご２より脱落するのを防止することができるため、洗浄時間を短縮することができる。また、強い汚れの食器と弱い汚れの食器を分けてセットすることで、従来、弱い汚れに対しても強い汚れと同じ分使用していた余分なエネルギを有効に使用することができる。
【００２５】
また、バイパス経路１３に流入した洗浄水を洗浄槽６内に散水するように構成することで、洗浄水として有効に使用することができ、洗浄力を向上することができる。
【００２６】
（実施例２）
図４に示すように、洗浄槽２２内に洗浄ノズル２３を回転自在に配設し、分岐管１１には洗浄水を分岐するバイパス経路（分岐部）２４を設けており、その先は、洗浄槽２２の天面に設けた固定ノズル２５に接続している。洗浄ノズル２３は、図５に示すように、ノズル本体２６と軸部２７とで構成しており、軸部２７の下方は、斜めに切断されている切り欠き２８を設けている。
【００２７】
固定ノズル２５は、図６に示すように、バイパス経路２４と接続する接続部２９と、洗浄槽２２に洗浄水を噴射するシャワー部３０と、濾紙３１を保持するフィルタ部３２とで構成しており、フィルタ部３２は着脱自在になっており、濾紙３１を交換できるようになっている。洗浄水は、バイパス経路２４より供給され、濾紙３１を介して洗浄槽２２に連通している。他の構成は上記実施例１と同じである。
【００２８】
上記構成において作用を説明すると、洗浄ノズル２３は、その回転途中に軸部２７の下方に設けた切り欠き２８と分岐管１１に設けたバイパス経路２４の入り口形状とで構成される隙間によってバイパス経路２４への供給水量が連続的に変化する。このとき、ノズル噴射口１５より噴射される洗浄水の圧力も同様に変化するため、従来より供給圧の大きい洗浄ポンプを使用し、洗浄力を確保しつつ、樹脂食器等の軽い食器類を食器かごより脱落させずに、洗浄時間の短縮をすることができ、特定の位置にセットした食器と、その特定の食器を洗浄するためのノズルの位置を同調させ、特定の食器のみ洗浄水の供給圧を徐々に変化させることができる。
【００２９】
また、バイパス経路２４を経た洗浄水は、固定ノズル２５に設けた濾紙３１を介し、シャワー部３０により食器かご７の上方より洗浄槽６に戻されるため、フィルタ５よりも微細な残菜を除去したきれいな水を、洗浄水として有効に使用することができ、このきれいな洗浄水を散水することで、より洗浄力を向上することができる。
【００３０】
【発明の効果】
以上のように本発明の請求項１に記載の発明によれば、洗浄槽と、この洗浄槽内に配置され、軽い食器類をセットする特定部位を有する食器かごと、前記洗浄槽内に回転自在に配設し洗浄水を噴射する洗浄ノズルと、この洗浄ノズルに洗浄水を供給しその供給圧によって前記洗浄ノズルを回転させる洗浄ポンプとを備え、前記洗浄ポンプから前記洗浄ノズルへの洗浄水供給経路の途中に、洗浄水を分岐する分岐部を少なくとも１つ設け、前記洗浄ノズルは、複数のノズル噴射口を設けたノズル本体と、このノズル本体と一体的に回転する軸部とを備えるとともに、前記軸部の前記食器かごの軽い食器類をセットする特定部位に対応する回転位置にて前記分岐部と連通する位置に連通部を形成し、前記軸部の回転によって回転に同調させて前記ノズル噴射口から軽い食器類に向けて噴射される洗浄水の圧力を、前記連通部が前記分岐部と連通していない回転位置における圧力より低くする構成としたから、食器かごのセット位置により洗浄水の圧力が強い所と弱い所とに分けることができ、さらに、特定の位置にセットした食器と、その特定の食器を洗浄するための洗浄ノズルの位置を同調させることができるので、供給圧の大きい洗浄ポンプを使用し、洗浄力を確保しつつ、樹脂食器等の軽い食器類を食器かごより脱落させずに洗浄することができ、洗浄時間を短縮することができる。
【００３１】
また、請求項２に記載の発明によれば、連通部は、少なくとも１つの孔または切り欠きよりなるから、特定の食器のみ洗浄水の供給圧を変化させることができる。
【００３２】
また、請求項３に記載の発明によれば、洗浄槽と、この洗浄槽内に回転自在に配設し洗浄水を噴射する洗浄ノズルと、この洗浄ノズルに洗浄水を供給しその供給圧によって前記洗浄ノズルを回転させる洗浄ポンプとを備え、前記洗浄ポンプから前記洗浄ノズルへの洗浄水供給経路の途中に、洗浄水を分岐する分岐部を少なくとも１つ設け、前記洗浄ノズルは、複数のノズル噴射口を設けたノズル本体と、このノズル本体と一体的に回転する軸部とを備えるとともに、前記軸部に特定の回転位置にて前記分岐部と連通する連通部を形成し、さらに、前記分岐部を前記洗浄槽内の側面または天面に設けた固定ノズルに接続して、分岐部に流入した洗浄水を洗浄槽内に散水するように構成したから、分岐部で分岐させた洗浄水を回転自在に配設した洗浄ノズルでは十分に洗浄できない個所に有効に使用することができ、洗浄力を向上することができる。
【００３３】
また、請求項４に記載の発明によれば、分岐部に流入した洗浄水の分岐案内経路途中に微細な残菜を収集できるフィルタを設けたから、きれいな洗浄水を散水することができ、より洗浄力を向上することができる。
【図面の簡単な説明】
【図１】  本発明の第１の実施例の食器洗い機の縦断面図
【図２】  同食器洗い機の洗浄ノズルの一部切欠した断面図
【図３】  同食器洗い機の要部拡大断面図
【図４】  本発明の第２の実施例の食器洗い機の縦断面図
【図５】  同食器洗い機の洗浄ノズルの一部切欠した断面図
【図６】  同食器洗い機の固定ノズルの要部拡大断面図
【図７】  従来の食器洗い機の縦断面図
【符号の説明】
６  洗浄槽
７  食器かご
８  洗浄ノズル
９  洗浄ポンプ
１１  分岐管（洗浄水供給経路）
１３  バイパス経路（分岐部）
１９  軸部
２０  孔（連通部）
【図１】
0003896679.tif 000002
【図２】
0003896679.tif 000003
【図３】
0003896679.tif 000004
【図４】
0003896679.tif 000005
【図５】
0003896679.tif 000006
【図６】
0003896679.tif 000007
【図７】
0003896679.tif 000008